Podtech/llm-jp-corpus-v4-ja_patent huggingface dataset:
(57)【要約】      （修正有）【課題】三層構造の衣類とすることで、防寒防風効果がある保温衣類構造を提供する。【解決手段】衣類構造は、保温材質の裏地１０の外周面に、隔離層２０を縫い付けて、隔離層２０により冷熱を隔離する。隔離層２０はメッシュ状である。隔離層外周面に、防風防水材質の衣類表層３０を縫い付けて、三層構造の衣類を形成する。このような衣類構造は、防風防水の効果だけでなく、隔離層により、風が抜けて皮膚に接触することがないので、保温効果がよい。また、三層構造の衣類は、縫い合わせていない位置を高周波で粘合し、衣類が滑動することがない。また、この粘合位置により適当に散熱され、着用時、蒸れない。【選択図】図１
0003176060.tif 000002
【実用新案登録請求の範囲】
【請求項１】
衣類構造であって：
保温材質の裏地；
前記保温材質の裏地の外周面に縫い付けられ、冷熱を隔離する隔離層；および
前記隔離層外周面に縫い付けられ、防風防水材質の衣類表層と、
を含み、
これにより、三層構造の衣類を形成することを特徴とする衣類構造。
【請求項２】
前記隔離層はネット状であることを特徴とする請求項1に記載の衣類構造。
【請求項３】
前記三層構造の衣類は、高週波を利用して、前記衣類の縫い合わされていない位置に、複数の高周波粘合位置を設置し、前記位置により布が任意に滑動せず、また、前記位置から適当に散熱することを特徴とする請求項1に記載の衣類構造。
【考案の詳細な説明】
【技術分野】
【０００１】
本考案は、衣類に関するものであって、特に、三層で、且つ、防寒防風効果がある衣類に関するものである。
【背景技術】
【０００２】
人類が衣類で身体を保温して、身体を保護してきた歴史は非常に長く、入浴以外の時間は服を着用しており、衣類は生活とは切り離せないとても重要なものである。
従来の衣類において、下着やトップス、ボトムス等はどれも単層構造であり、コート類には裏地があるが、それらは二層構造である。単層構造が綿材質であると、吸汗、吸湿性はあるが、寒い時、風が服を通り抜けて皮膚に達するので、保温性に欠ける。防風素材を採用すると、風や雨はしのげるが、肌に触れた感触が冷たく、一層のメッシュを追加しても、やはり冷たい感覚があり、改善が必要である。
【考案の概要】
【考案が解決しようとする課題】
【０００３】
本考案は、保温材質の裏地を含む衣類構造を提供し、上述の問題を解決することを目的とする。
【課題を解決するための手段】
【０００４】
本考案は、保温材質の裏地を含む衣類構造を提供する。保温材質の裏地の外周面に、隔離層を縫い付けて、隔離層が冷熱を隔離し、隔離層は網状である。隔離層外周面に防風防水材質の衣類表層を縫製して、三層一体の衣類を得る。このような衣類構造は、防風防水効果を有し、冷気は隔離層を経ても、皮膚に直接接触しないので冷たさを感じることがなく、保温材質の裏地の保温效果もさらによくなり、三層の衣類が好ましい保温效果を達成する。
本考案は衣類構造を提供し、三層の衣類は、さらに、高週波を利用して、三層が縫い合わされていない位置を均一に粘合して、三層構造が任意に滑動しないように固定すると共に、この高周波粘合位置により、適当に散熱して、蒸れるのを防止する。  
【考案の効果】
【０００５】
本考案の三層の衣類構造は、防風防水の効果だけでなく、隔離層により、風が抜けて皮膚に接触することがないので、保温効果がよい。また、三層構造の衣類は、縫い合わせていない位置を高周波で粘合し、衣類が滑動することがない。また、この粘合位置により適当に散熱され、着用時、蒸れない。
【図面の簡単な説明】
【０００６】
【図１】本考案の実施例による立体分解図である。
【図２】本考案の実施例による立体図である。
【図３】本考案の別の実施例による立体図である。
【図４】本考案のさらに別の実施例の立体図である。
【図５】本考案の実施状態を示す断面図である。
【考案を実施するための形態】
【０００７】
図1〜図3に示されるように、本考案の衣類構造は：保温材質の裏地10；保温材質の裏地10の外周面に縫いつけられ、冷熱を隔離し、網状である隔離層20；隔離層20外周面に縫い付けられる防風防水材質の衣類表層30を含み、これにより、三層構造の衣類を形成する。
単独の保温材は、吸汗、吸湿性を有するが保温性がないが、本考案の三層設計は好ましい保温效果を具備している。単独の防水防風材質やメッシュを縫い付けたものは、風が皮膚に達したり、冷気が抜けて体が冷えるが、この問題は本考案により克服できる。
保温材質の裏地10は好ましくは綿である。 
図2に示されるように、三層構造の衣類1は、プルオーバータイプの衣類1である。
図3に示されるように、三層構造の衣類1は、複数のマジックテープ（登録商標）構造50により黏合できる前（または後ろ）開きタイプの衣類1である。
図4と図5に示されるように、三層の衣類は、さらに、高週波を利用して、複数の高周波粘合位置40を設置し、縫い合わされていない位置が任意に滑動せずに固定されると共に、この高周波粘合位置40により散熱することができ、蒸れが生じるのを防止する。
本考案の衣類構造は三層構造で、下着とするのに適している。
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案の保護範囲は、実用新案請求の範囲で指定した内容を基準とする。
【符号の説明】
【０００８】
1三層構造の衣類
10保温材質の裏地
20隔離層
30防風防水材質の衣類表層
40高周波粘合位置
50マジックテープ（登録商標）構造
【図１】
0003176060.tif 000003
【図２】
0003176060.tif 000004
【図３】
0003176060.tif 000005
【図４】
0003176060.tif 000006
【図５】
0003176060.tif 000007
(57)【要約】      （修正有）【課題】食器でスプーン等を用いて食事をする場合、容易に食物をすくい取る事ができる構造を持ち、かつ左右対称の形状をし製造を容易にした介護用食器を提供する。【解決手段】茶碗、椀、皿、木製皿などの縁に本体ａと一体で形成されたストッパーｃを有する形状であり、かつ轆轤を使用してａ，ｂ，ｃが一体となった、茶碗、椀、皿、木製皿を製造可能としたことを特徴とする。【選択図】図１
0003176099.tif 000002
【実用新案登録請求の範囲】
【請求項１】
上から見た時の外形が円形状となる茶碗、椀、皿、木製皿で、前記茶碗、椀、皿、木製皿の縁に一体で形成されたストッパーを有する事を特徴とする介護用食器。
【請求項２】
請求項１において、前記ストッパーは、前記茶碗、椀、皿、木製皿の縁の一部に形成されている事を特徴とする介護用食器。
【請求項３】
請求項１乃至２に記載の介護用食器であって、轆轤を用いて前記茶碗、椀、皿、木製皿を形成するとともに、前記茶碗、椀、皿、木製皿の縁の全周に前記ストッパーを形成し、その後、前記ストッパーの一部を取り除いて、前記茶碗、椀、皿、木製皿の縁の一部に前記ストッパーを形成する事を特徴とする介護用食器。
【考案の詳細な説明】
【技術分野】
【０００１】
この考案は肢体の不自由な方が食事をする際に不便なく使用可能な介護用食器に関する。
【背景技術】
【０００２】
従来健常者が使う食器にはストッパーが無く、肢体が不自由になってしまった方には極めて使いにくい。食器によそわれた具を、確実に掬い取るという目的の、先行実用新案が見受けられるが、巷で製品を見る事が出来ない。見られるのは箸を使える健常者用のばかりです。先行実用新案で提案されている食器は左右対称でないので素材が木や粘土では一つ一つ仕上げなくてはならないので製造するのに手間がかかるからだと考えられる。
【先行技術文献】
【特許文献】
【０００３】
【特許文献１】登録実用新案第３１００６０８号
【考案の概要】
【考案が解決しようとする課題】
【０００４】
食器の縁にストッパーが無いと掬いにくい。左右対称でないので轆轤が使えず製造しにくい。
【課題を解決するための手段】
【０００５】
スプーンでおかずなどすくいやすくする為に、茶碗や椀、皿や木製皿などの食器の縁に、ストッパーを設ける。轆轤を使用して左右対称の食器を製造する。
【考案の効果】
【０００６】
スプーンでおかずをすくう時、食器にはストッパーがあるので、食器から落ちてしまう事はない。また左右対称に轆轤で製造するので製造しやすい。
【図面の簡単な説明】
【０００７】
【図１】図ー１  （Ａ）；茶碗、椀の上面図  （Ｂ）；茶碗、椀の断面図
【図２】図ー２  （Ａ）；皿、木製皿の上面図  （Ｂ）；皿、木製皿の断面図
【考案を実施するための形態】
【０００８】
轆轤を用いて食器本体（ａ）と一体でストッパー（ｂ）（ｃ）が全周についた状態の左右対称の物を造る。次にストッパーの一部（ｃ）を残して他（ｂ）を取り除く。
【符号の説明】
【０００９】
（ａ）；食器本体  （ｂ）；取り除かれるストッパー  （ｃ）；残るストッパー
【図１】
0003176099.tif 000003
【図２】
0003176099.tif 000004
(57)【要約】      （修正有）【課題】伸縮自在なカバーの主な用途である工作機械の保護カバー、その他一般産業用機械の保護カバーにおいて、高速時でのカバーの衝撃、振動、騒音等の発生を軽減させるスプリング式衝撃吸収装置を提供する。【解決手段】カバーボックスＡ−２のプレートＢに設置したスライドケースＤに組み込まれたスライダーＥの円筒ローラー部分を、移動するカバーボックスの裏面に取り付けられたカムプレートFが押し、スライダーＥをスライドさせることによって、スライダーＥに隣接して設置された圧縮バネＧを圧縮させ、各カバーボックスが伸縮の為に互いに衝突し連結する際の衝撃を圧縮バネＧの圧縮抵抗力により吸収することで問題点を解決している。【選択図】図２
0003176091.tif 000002
【実用新案登録請求の範囲】
【請求項１】
複数のカバーボックスより成るテレスコープ式に伸縮自在なカバーに於ける伸縮運動を利用した衝撃吸収装置であって、カバーボックスA-2のプレートBに設置したスライドケースDに組み込まれたスライダーEの円筒ローラー部分を、移動するカバーボックスの裏面に取り付けられたカムプレートFが押し、スライダーEをスライドさせることによって、スライダーEに隣接して設置された圧縮バネGを圧縮させ、各カバーボックスが伸縮の為に互いに衝突し連結する際の衝撃を圧縮バネGの圧縮抵抗力により吸収することを特徴としたスプリング式衝撃吸収装置
【考案の詳細な説明】
【技術分野】
【０００１】
本考案は、主として工作機械の保護カバー、その他一般産業機械の保護カバーとして活用するものに関する。
【背景技術】
【０００２】
従来よりゴム状弾性体をクッション装置として用いる事は知られている。一般的にはゴム板をクッション材として用いており、衝突の際にクッション材の変形を増長することでクッション効果が得られ衝撃を和らげている。伸縮自在カバーボックスは、其の伸縮運動の終わりに連結体が互いに衝突するが、その停止運動を緩衝体により出来るだけ和らげ、衝撃、振動、騒音の発生を減らすようにしている。この緩衝体について実用新案番号第396018254で考案者は、伸縮自在なカバーの往復動に於ける衝撃吸収式連結装置用ゴム状弾性体によるエヤークッション体を考案している。しかし、近年の大型化・高速化に伴いクッション材だけでは、衝撃、振動、騒音等の発生を和らげるには効果が不十分であった。
【考案の開示】
【考案が解決しようとする課題】
【０００３】
伸縮自在なカバーの主な用途である工作機械の保護カバー、その他一般産業用機械の保護カバーは、近年著しい大型化・高速化を遂げている。その為、高速時でのカバーの衝撃、振動、騒音等の発生を軽減させる装置の開発が必要であった。
【課題を解決するための手段】
【０００４】
本考案はかかる問題を解決するため鋭意研究し得られたもので、スプリング式衝撃吸収装置Cに関するものであり、
カバーボックスA-2のプレートBに設置したスライドケースDに組み込まれたスライダーEの円筒ローラー部分を、移動するカバーボックスの裏面に取り付けられたカムプレートFが押し、スライダーEをスライドさせることによって、スライダーEに隣接して設置された圧縮バネGを圧縮させ、各カバーボックスが伸縮の為に互いに衝突し連結する際の衝撃を圧縮バネGの圧縮抵抗力により吸収することで問題点を解決している。
【考案の効果】
【０００５】
従来のクッション材のみを設けた方法で、カバーボックスA-1を伸び方向に移動させ、カバーボックスA-1に配設されているストッパーHをカバーボックスA-2に固定されたプレートBに直接衝突させて連結させると、大きな騒音、振動が発生したが、本考案の衝撃吸収装置C及びカムプレートFを設置した場合においては、極めて優れた衝撃吸収能力を発揮し、騒音、振動が飛躍的に減少した。
又、縮み方向の移動においても従来のクッションのみを設けた方法で、カバーボックスA-1を縮み方向に移動させ、カバーボックスA-1をカバーボックスA-2に固定されたクッションHに直接衝突させて連結させると、大きな騒音、振動が発生したが、本考案の摩擦による衝撃吸収装置C及びカムプレートFを設置した場合においては、極めて優れた衝撃吸収能力を発揮し、騒音、振動が飛躍的に減少した。
【図面の簡単な説明】
【０００６】
【図１】請求項1に記載のカバーボックス断面斜視図
【図２】請求項1に記載のカバーボックス及びスプリング式衝撃吸収装置の平面図、断面図
【実施例】
【０００７】
請求項1に記載のスプリング式衝撃吸収装置に関する平面図及び断面図を図2に示す。
【０００８】
図2は請求項1に関するものであり、移動する複数のカバーボックスの１つであるカバーボックスA-2に固定されたプレートBにスライドケースDを固定し、そのスライドケースD内部にスライダーEと圧縮バネGを併設させることで、スプリング式衝撃吸収装置Cは構成される。
【０００９】
又、スライダーEを介して圧縮バネを圧縮させる為に、カムプレートFをカバーボックスA-1の内面に固定する。
【００１０】
カバーボックスA-1の移動によりカバーボックスA-2と衝突する手前で、カバーボックスA-1の内面に固定されたカムプレートFがスライダーEを介して圧縮バネGを圧縮させることで、圧縮バネGの圧縮抵抗力が発生し、カバーボックス同士の衝突時の衝撃を吸収することができる。
【符号の説明】
【００１１】
A-1  カバーボックス
A-2  カバーボックス
B  プレート
C  スプリング式衝撃吸収装置
D  スライドケース
E  スライダー
F  カムプレート
G  圧縮バネ
H  ストッパー
I  クッション
【図１】
0003176091.tif 000003
【図２】
0003176091.tif 000004
(57)【要約】      （修正有）【課題】筆記に伴う損耗が起こりにくく、簡単な操作で複数本の同時線描きを行うことができるペン先を提供する。【解決手段】ペン先１は、頂面が球面状の円錐形状の筆記部２を複数同高に突設して成り、筆記部２のテーパ面の角度は４５度前後にされる。【選択図】図２
0003176092.tif 000002
【実用新案登録請求の範囲】
【請求項１】
頂面が丸味を帯びた円錐形状の筆記部を複数同高に突設して成るペン先。
【請求項２】
前記筆記部は２つ形成されている、請求項１に記載のペン先。
【請求項３】
前記筆記部のテーパ面の角度は４５度前後である、請求項１又は２に記載のペン先。
【考案の詳細な説明】
【技術分野】
【０００１】
本考案はペン先に関するものであり、より詳細には、一般にマ−キングペン、マーカー、フェルトペン等と称される筆記具のペン先で、１回の筆記操作で複数本の線を同時に描くことができるペン先に関する。
【背景技術】
【０００２】
従来、１回の筆記操作で複数本の線描きが可能なペン先としては、ほぼ三角柱状を呈していて、その一側面中央部に上端にまで達する切欠が形成され、また、他の側面に、適宜間隔を置いて上端にまで達する２つの切欠が形成されたものや（図３参照）、先端の周側面が３面以上の多面を有するペン先体において、先端面の周辺の少なくとも１辺以上の各辺に、独立した任意の幅、間隔の凹部を１ケ所以上設けたもの（実開昭６１−１２５４７７号公報）等が知られている。
【０００３】
これらの従来のペン先の場合、ペン先の筆記面に接して筆記する部分が角張っているため、その部分に筆記圧が集中して摩耗し易いために寿命が短いという問題がある。また、図３から明らかなように、筆記部は平坦な先端面に形成されるため、先端面（辺）の全体を筆記面に当てないと、換言すれば、片側が少しでも浮いていると複数本の線描きが難しくなるため、筆記時に筆記面に当たっている片側角部を強く押し付ける傾向となる。そのため、筆記部の損耗が一層助長される。
【０００４】
なお、特開平９−２０７４８６号公報に記載のものは、先端部は丸みを帯びているが、その部分で線描きする訳ではなく、線描きする部分は角張っているため、やはり上記各筆記具の場合と同様に、早期損耗という問題がある。
【先行技術文献】
【特許文献】
【０００５】
【特許文献１】実開昭６１−１２５４７７号公報
【特許文献２】特開平９−２０７４８６号公報
【考案の概要】
【考案が解決しようとする課題】
【０００６】
上述したように、上記従来の、１回の筆記操作で複数本の線書きが可能なペン先の場合は、筆記する部分が角張っているために摩耗しやすく、また、筆記時に片側を強く押し付ける傾向にあるため、筆記部の損耗が一層助長されるという問題があった。そこで本考案は、そのような問題がない、即ち、筆記に伴う損耗が起こりにくく、簡単な操作で複数本の同時線描きを行うことができるペン先を提供することを課題とする。
【課題を解決するための手段】
【０００７】
上記課題を解決するための請求項１に記載の考案は、頂面が丸味を帯びた円錐形状の筆記部を複数同高に突設して成るペン先である。例えば、前記筆記部は２つ形成され、また、前記筆記部のテーパ面の角度は４５度前後にされる。
【考案の効果】
【０００８】
本考案に係るペン先は、頂面が丸味を帯びた円錐形状の筆記部を複数同高に突設して成り、例えば、前記筆記部は２つ形成され、また、前記筆記部のテーパ面の角度は４５度前後にされるものであって、筆記面に接する筆記部は角張りのない曲面であるために摩耗しにくく長持ちし、また、筆記可能部分が曲面であって広いために、多少傾いた状態においても複数線の同時筆記が可能という効果がある。
【図面の簡単な説明】
【０００９】
【図１】本考案に係るペン先の一実施形態の斜視図である。
【図２】本考案に係るペン先の一実施形態の使用状態図である。
【図３】従来のペン先の形状例を示す斜視図である。
【考案を実施するための形態】
【００１０】
本考案の実施の形態を添付図面を参照しつつ説明する。図１は、本考案に係るマ−キングペン等の筆記具のペン先１の形状例を示す斜視図で、当該ペン先１は、通例、フェルトや合成繊維を樹脂加工して形成される。
【００１１】
ペン先１は、図１に示されるように、頂面が球面状の円錐形状の筆記部２を複数、同高に突設して成る。例えば、筆記部２は２つ並設されるが（図示した例参照）、それ以上（３又は４）設けることとしてもよい。３つ設けた場合は３本線を引くことができ、４つ設けた場合は、筆記具の角度により、２〜４本線を引くことが可能となる。各筆記部２のテーパ面のなす角度は、限定されるものではないが、例えば、４５度前後にされる。
【００１２】
ペン先１は、インキを含浸させた吸収体を収納したプラスチック製の軸筒３内に、その内端部が吸収体に十分接触し、その外端の筆記部２が軸筒３先端から適量露出するように装填される。かくして、吸収体からペン先１にインキが浸出して筆記部２において筆記可能となることは、一般の筆記具の場合と変わりはない。
【００１３】
本考案に係るペン先１を用いたマ−キングペンにおいては、軸筒３を立ててペン先１の各筆記部２を筆記面に当接させて移動させることにより、同時に２本の平行線（実施形態によっては２〜４本の平行線）を描くことができる（図２参照）。そして、ペン先１の筆記部２の先端部は球面状であって筆記可能範囲が広いため、筆記に際し、軸筒３がいずれかの筆記部２の方に偏っていたとしても、確実に２本の線を描くことができる。
【００１４】
また、筆記面に接する筆記部２に角張りがあると、筆記に際してその角張部に筆記圧が集中するために摩耗し易くなるが、本考案に係るペン先１の筆記部２は曲面であって角張部がないため、筆記圧が部分的に集中して摩耗が助長されることがなく、長持ちするものとなる。
【００１５】
この考案をある程度詳細にその最も好ましい実施形態について説明してきたが、この考案の精神と範囲に反することなしに広範に異なる実施形態を構成することができることは明白である。従って、この考案は、添付請求の範囲において限定した以外はその特定の実施形態に制約されるものではない。
【符号の説明】
【００１６】
１    ペン先
２    筆記部
３    軸筒
【図１】
0003176092.tif 000003
【図２】
0003176092.tif 000004
【図３】
0003176092.tif 000005
(57)【要約】      （修正有）【課題】仮設トイレ用の消臭剤を提供する。【解決手段】天然ゼオライト岩石を粉砕後焼成し、１ｍｍ以外に分級した粉末を耐湿性のある袋に詰める。【選択図】図１
0003176749.tif 000002
【実用新案登録請求の範囲】
【請求項１】
天然ゼオライト岩石を粉砕後焼成し、さらに１ｍｍ以下に分級した粉末を、規定量、耐湿性のある袋に詰めた仮設トイレ用消臭剤。
【考案の詳細な説明】
【考案の詳細な説明】
【技術分野】
【０００１】  本考案は、屋外に設置される仮設トイレから発するにおいの削減に関するものである。
【背景技術】
【０００２】  従来の仮設トイレ用消臭剤としては、据え置き型の芳香剤やブルーコロンなどにおいの付いた洗浄剤などを利用したものがある。
【先行技術文献】
【非特許文献】
【０００３】
【非特許文献１】「エステー  製品総合カタログ２０１２年・春」，エステー株式会社，２０１２年，ｐ．８
【０００４】
【非特許文献２】「日生クリーン  ブルーコロンチラシ」，株式会社日生クリーン
【考案の概要】
【考案が解決しようとする課題】
【０００５】  上述の非特許文献で示した消臭剤は、においそのものを消すのではなく、違う芳香を悪臭にかぶせて緩衝させるものである。【０００６】  このため、外気温の上昇する時期になると、悪臭と芳香剤のにおいが混じり更に悪化し仮設トイレを設置した近隣に、強い悪臭となって拡散させる。
【課題を解決するための手段】
【０００７】  本考案の消臭剤の主材であるゼオライト粉末を仮設トイレの便槽内に投入し、においの原因である糞尿に直接散布し、その糞尿から出るにおいを吸着することにより発生量を抑えるため、においを拡散させない。【０００８】  においの削減に効果のある規定量を耐湿性小袋の封を切り便槽に投入するだけである。【０００９】  また、投入方法も便器から投入するため、便槽内の糞尿に確実に影響を及ぼす。【００１０】  上述のように、消臭剤の使用方法に間違いが起きにくいため、いつも決まった消臭効果が見込める。【００１１】  主材であるゼオライトは天然ゼオライトを粉砕し焼成したものを、さらに１ｍｍ以下に分級した粉末を使用する。【００１２】  このゼオライトは、アンモニアの除去、硫化水素の除去に効果があることが株式会社環境総合科学による試験結果でも証明されており、メチルカプタンの脱臭効果も北海道工業大学創生工学部機械システム工学科による試験で証明されている。【００１３】  本考案の消臭剤は、ガス状になっている臭気に対しては、１時間程度で最大効果に達するが、水質中溶存形態であるアンモニアには、投入後４８時間で消臭力が最大に達するため、消臭材投入一回での効果期間が１週間程度見込める。【００１４】  また、この消臭剤が対象とする糞尿での効果を検証するための、水質中溶存形態であるアンモニア態窒素（ＮＨ４＋−Ｎ）の吸着除去特性試験でも効果が証明されている。【００１５】  便槽への投入後の処理方法は、従来と変わらず、汲み取り処理が可能である。このゼオライトは、環境負荷の少ない天然材料であり、土壌改良などにも使われる材料なため、埋め立て処理をされても、あるいは肥料化されても環境問題はない。
【考案の効果】
【００１６】  以上のように、この考案によれば、においの発生源である糞尿に直接消臭材が散布されることにより、においの発生を削減できる。また、使用方法が簡易なことから、効果が性能通り発揮されるため、仮設トイレを設置した周囲への悪臭の拡散を抑制できる。さらに、環境への負荷もなく処理できる。【００１７】  特に、気温が摂氏２５℃を超えると旧来芳香剤は、その芳香と悪臭が入り混じりさらに悪臭化し、においを拡散させるが、本考案の消臭剤は、においを元から削減するので悪臭の拡散が抑制できる。
【考案を実施するための最良の形態】
【実施例】
【００１８】  住宅の新築工事現場に設置された仮設トイレに、本考案の消臭剤図１の２を仮設トイレの便器から便槽内部に投入した。【００１９】  一週間毎に小袋の中身全量を投入し、消臭効果を検証した。検証は工事現場に常駐している職人からの聞き取りとした。常駐職人のいる工事現場３件にて試験施工を実施した。【００２０】  四週間の検証実験を実施した。一週間毎に消臭剤を再投入した。その結果、いずれの工事現場でも、消臭効果を実感したとの報告を得た。
【図面の簡単な説明】
【００２１】
【図１】正面図  消臭材１回分の使用量が封入された小袋の正面図
【符号の説明】
【００２２】１・・・耐湿包装材
２・・・消臭材ゼオライト粉末
【図１】
0003176749.tif 000003
(57)【要約】      （修正有）【課題】作業帽子の首の部分の裏側にあたる箇所にポケットを付け、その中に冷却剤を入れることで、タオルを使用しなくても、冷却剤の使用で長時間冷えることとなり、快適に仕事ができるエコ帽子を提供する。【解決手段】エコ帽子は、帽子１の下部に設けた垂下がり部４の、後ろ側の首付け根部分にあたる箇所に、ポケット２を設けると共に、このポケット２の開口部に止着手段としての面ファスナー部３を設け、ポケット２に冷却剤を入れるように構成する。【選択図】図１
0003176742.tif 000002
【実用新案登録請求の範囲】
【請求項１】
帽子本体部分の下部に垂下がり部を設けた作業帽子において、
前記垂下がり部の後ろ側の首付け根部分にあたる箇所に、ポケットを設けると共に、当該ポケットの開口部に止着手段を設け、
前記ポケットに冷却剤を入れることを
特徴とするエコ帽子。
【考案の詳細な説明】
【技術分野】
【０００１】
本考案は、農作業などの外で作業する時に被る帽子に関する。
【背景技術】
【０００２】
一年中外で作業する農作業においては、夏の暑さや冬の寒さが厳しい季節には、それぞれに体力を消耗したり、体調を崩したりしてしまうことがあるため、作業帽子を使用することが多かった。特に、夏には、さらに湿らせたタオルを首に掛けて暑さを防ぐこともあった。
なお、従来の作業帽子の例としては、登録実用新案第３０７１０６６号公報に開示されるものがある。
【先行技術文献】
【特許文献】
【０００３】
【特許文献１】登録実用新案第３０７１０６６号公報
【考案の概要】
【考案が解決しようとする課題】
【０００４】
従来の作業帽子と湿らせたタオルの併用で暑さを防ぐ場合、夏ではタオルがすぐに乾いてしまい、不便であった。タオル以外の暑さを防ぐ手段は、従来の帽子にポケット等がないために、装着することはできなかった。
【０００５】
本発明は、前記課題を解消するためになされたもので、作業帽子の後ろに冷却剤等を装着可能として、体温調節ができ快適に仕事が行えるエコ帽子を提供することを目的とする。
【課題を解決するための手段】
【０００６】
本考案に係るエコ帽子は、帽子本体部分の下部に垂下がり部を設けた作業帽子において、前記垂下がり部の後ろ側の首付け根部分にあたる箇所に、ポケットを設けると共に、当該ポケットの開口部に止着手段を設け、前記ポケットに冷却剤を入れるものである。
【０００７】
このように本考案においては、作業帽子の首の部分の裏側にあたる箇所にポケットを付け、その中に冷却剤を入れることで、従来のようにタオルを使用しなくても、冷却剤の使用で長時間冷えることとなり、快適に仕事ができる。
【図面の簡単な説明】
【０００８】
【図１】本考案の一実施形態に係る帽子を正面に倒したものを表す図である。
【図２】本考案の一実施形態に係る帽子を側面に倒したものを表す図である。
【図３】本考案の一実施形態に係る帽子の使用状態概略参考斜視図である。
【考案を実施するための形態】
【０００９】
以下、本考案の一実施形態に係る帽子を前記図１ないし図３に基づいて説明する。
前記各図において本実施形態に係るエコ帽子は、帽子１の下部に設けた垂下がり部４の、後ろ側の首付け根部分にあたる箇所に、ポケット２を設けると共に、このポケット２の開口部に止着手段としての面ファスナー部３を設け、ポケット２に冷却剤を入れるようにした構成である。
【００１０】
一年中外で作業する農作業は、夏の暑さや冬の寒さが厳しい季節は、それぞれに体力を消耗したり、体調を崩したりしてしまうこともある。
そこで作業している時に常にかぶっている帽子の後ろ、すなわち、首の付け根部分にポケット２をつけ、その中に冷却剤、例えばアイスノン（登録商標）や、使い捨てカイロ、例えば、ホッカイロ（登録商標）を入れることで、快適に体温調節ができるアイディアを発案した。
【００１１】
これにより農作業が苦にならないで楽しく出来て、はかどると思われる。また、健康面でのジョギングやウォーキング、又、スポーツ、山登りなどのレジャーにも最適だと思われる。
外で過ごすのが難しい季節でも、このエコ帽子を是非多くの方に利用していただき、自然の中で快適なエコライフを過していただきたい。
【符号の説明】
【００１２】
１          帽子
２          ポケット
３          面ファスナー部
４          垂下がり部
【図１】
0003176742.tif 000003
【図２】
0003176742.tif 000004
【図３】
0003176742.tif 000005
(57)【要約】      （修正有）【課題】中綴じ製本された冊子状印刷物において、冊子本体から切り取りの手段にて分離して使用される目的をもつ部分と本体共に、分離後も綴じ状態を維持可能にする冊子状印刷物を提供する。【解決手段】中綴じ製本機のセッティングの際、三か所以上を針金にて綴じるようにセットし、冊子状印刷物の３ヶ所以上を針金にて固定する。冊子本体から切り取られる箇所は一ヶ所、冊子本体部は２ヶ所以上の固定とする。これにより、切取り部分が分離されても綴じ状態を維持できる。【選択図】図１
0003176747.tif 000002
【実用新案登録請求の範囲】
【請求項１】
中綴じ製本された冊子状印刷物であって、背部に一ヶ所以上の分離部分を有すると共に、前記分離部分は一か所以上の針金で綴じられ、前記分離部分以外の背部は二か所以上の針金で綴じられてなることを特徴とする冊子状印刷物。
【考案の詳細な説明】
【技術分野】
【０００１】この考案は、中綴じ製本された冊子状印刷物の、背部の一部分を切り離し可能にした冊子状印刷物に関する。
【背景技術】
【０００２】中綴じ製本された冊子状印刷物一冊につき背部に二か所、針金にて綴じられているのが通常である。
【考案の概要】
【考案が解決しようとする課題】
【０００３】冊子状印刷物の背部の一部分を切り離した時、綴じられた状態の維持が難しく分離部分の形状および面積が制限されていた。
【課題を解決するための手段】
【０００４】本考案の冊子状印刷物は、上記課題を解決するためになされたもので、中綴じされた冊子状印刷物であって、背部に一か所以上の分離部分を有すると共に、前記分離部分は一か所以上の針金で綴じられ、前記分離部分以外の背部は二か所以上の針金でとじられてなることを特徴とする。
切り取る等の手段をもって分離して使用する際に、冊子本体および分離部分いずれも、分離後に冊子本体は背部に二か所以上、分離部分は背部に一か所以上綴じられている状態を維持するため、予め分離前の状態時に三か所以上針金にて綴じる。
【考案の効果】
【０００５】冊子状印刷物および分離部分について、針金にて綴じられている状態を維持するための分離部分形状および面積の制限を緩和でき、冊子状印刷物および分離部分が綴じられている状態を維持することが容易になる。【０００６】冊子状印刷物に例えばクーポン券を印刷し、そのクーポン券印刷部分のみを冊子状印刷物から分離する際、冊子状印刷物および分離部分いずれにおいても、綴じられている状態の維持が容易となり、冊子状印刷物の保存性を損なうことなく、分離クーポン部分の携行性が高まり、クーポンの利用頻度向上が期待できる。
【図面の簡単な説明】
【０００７】
【図１】本考案の実施形態を示す図である。
【考案を実施するための形態】
【０００８】次に、本考察を図１に参照して説明する。
冊子状印刷物５は冊子本体１と分離部分２、２とからなり、分離部分２，２はそれぞれ一個の針金３で綴じられている。前記分離部分２，２以外の背部４は二個の針金で綴じられている。
分離部分２，２を切り取ったあとは、冊子本体１に二個、分離部分２，２それぞれ各一個の針金３にて綴じられている状態となる。
本考案の冊子状印刷物は上記実施の形態に限らず、分離部分は一個でもよいし、三個以上でもよい。また、分離部分の針金は二個以上でもよく、冊子本体の針金は三個以上であってもよい。
次に、本考察の冊子状印刷物の製造方法を説明する。
中綴じ製本機にて、綴じ加工のセッティングの際、三か所以上を針金３にて綴じるようにセットし、冊子状印刷物の三か所以上を針金にて固定する。
【符号の説明】
【０００９】１冊子本体
２分離部分
３針金
４背部
５冊子状印刷物
【図１】
0003176747.tif 000003
(57)【要約】【課題】タオル、フキン、手ぬぐい、ハンカチなどの片面又は両面に切り込みを入れ、片方の端を切り込みに通して、使う事を特徴とした水滴吸収具を提供する。【解決手段】矩形、正方形、三角形、台形、その他の形の布地の片端、中ほど又は両端に切り込みを設け、片方の端を反対側の切り込みに通す事を特徴とする、引っ張っても落ちないタオル状水滴吸収具。【選択図】図２
0003176750.tif 000002
【実用新案登録請求の範囲】
【請求項１】
矩形、正方形、三角形、台形、その他の形の布地の片端、中ほど又は両端に切り込みを設け、片方の端を反対側の切り込みに通す事を特徴とする、引っ張っても落ちないタオル状水滴吸収具。
【考案の詳細な説明】
【技術分野】
【０００１】  本考案は、布地に切り込みを入れた、引っ張っても落ちない水滴吸収具に関するものである。
【背景技術】
【０００２】  従来、切り込みを入れたバスタオルがあった。（特許文献１参照）。
【特許文献１】実用新案２００５−２１１７号公報
【考案の概要】
【考案が解決しようとする課題】
【０００３】  そのために、次のような問題点があった。
（イ）タオルの片側に２箇所の切り込みがあるが、赤子の手を入れるための物なので水滴吸収具としては、不向きである。
【課題を解決するための手段】
【０００４】  矩形、正方形、三角形、台形、その他の形の布地の片端、中ほど又は両端に切り込みを設け、片方の端を反対側の切り込みに通す事を特徴とする、引っ張っても落ちないタオル状水滴吸収具。
【考案の効果】
【０００５】  切り込みに片側の布地を通して締め付けることにより、タオル掛けや取っ手からずり落ちずに、固定することができる。
小さな布や長さが短い布でも落ちないで固定できるので、タオルの形状を子供の気を引くように工夫すれば、タオルにぶら下がるような幼少時からでも安全に手を拭く習慣が身につきやすくなる。
また、タオルをピンチやクリップなどで、とめる事なく固定できるので、子供がピンチやクリップを誤って口に入れたり、挟んだりする事故から防ぐ事ができる。
【図面の簡単な説明】
【０００６】
【図１】本考案の平面図
【図２】本考案に象頭部を設けた平面図
【図３】本考案に象頭部を設け、切り込み口より端を引き出した状態図
【図４】本考案をシンクの取っ手に取り付けた使用状態図
【考案を実施するための最良の形態】
【０００７】  以下、本考案の実施の形態について説明する。
（イ）矩形、正方形、三角形、台形、その他の形の布地の本体（１）の片面又は両面に切り込み（２）を設ける。
本考案は以上のような構成で、これを使用するときは、タオル掛けや取っ手（４）に二つ折りにして掛け、一方の端を切り込み線の穴（２）に通してひっぱって絞るようにする。
本考案には、動物やフルーツ、キャラクター、その他の形のぬいぐるみ（３）を設ける事もできる。シンクの扉の取っ手（４）に取り付けた場合は、ぬいぐるみ（３）が、ちょうど子供の目線にあるため、子供に喜ばれ楽しみながら手を拭く習慣が身につきやすくなる。
【符号の説明】
【０００８】  １  タオル本体
２  タオルを通す切込み線
３  象頭部のぬいぐるみ
４  シンク扉の取っ手
【図１】
0003176750.tif 000003
【図２】
0003176750.tif 000004
【図３】
0003176750.tif 000005
【図４】
0003176750.tif 000006
(57)【要約】      （修正有）【課題】小さい固形石鹸を、他の道具を使わずに大きい石鹸に作り直すことが出来る固形石鹸入れ容器を提供する。【解決手段】固形石鹸入れ容器の蓋、或いはその受け皿容器にギザギザ突起部分を設ける。【選択図】図２
0003176729.tif 000002
【実用新案登録請求の範囲】
【請求項１】
固形石鹸入れ容器の蓋の内側にギザギザ突起部分を設けた、固形石鹸入れ容器。
【請求項２】
固形石鹸入れの受け皿容器内にギザギザ突起部分を設けた、固形石鹸入れ容器。
【考案の詳細な説明】
【技術分野】
【０００１】  本考案は固形石鹸を入れる容器に、ギザギザ突起部分を設け、使用して小さくなった石鹸を、貼り合わせて大きくする機能を持った、固形石鹸入れ容器に関する物である。
【背景技術】
【０００２】  従来の固形石鹸入れ容器は、使用に際して濡れてる物を保管する容器で、使用するにつれ固形石鹸は小さくなり、使いづらくなった。
【考案の概要】
【考案が解決しようとする課題】
【０００３】  本考案は以上のように固形石鹸が、使用して小さくなり使いづらくなった小さい石鹸同しや、小さくなった固形石鹸を新しい大きい石鹸に結合させて大きくし、使えやすくすることを目的としている。
【課題を解決するための手段】
【０００４】  上記目的を達成するために、固形石鹸入れ容器の蓋の内側と、その固形石鹸入れの受け皿容器の内側に、それぞれギザギザの突起部分を設け、使用して小さくなった固形石鹸同し、或いは小さくなった固形石鹸と新しい大きい石鹸を貼り合わせて、一つの石鹸にするため、張り合わす固形石鹸の面を、石鹸入れ容器の内側に設けたギザギザ突起にて突き砕き、互いに突き砕いて軟弱になった石鹸の面同しを圧着することで、小さくなって使いづらくなった固形石鹸を、使い安い一つの大きい石鹸に作り直すことが出来る。
【考案の効果】
【０００５】  以上の説明から明らかなように、本考案にあっては次に列挙する効果が得られる。
（１）お湯などを使って結合面を、軟弱にする必要もない。【０００６】（２）特に道具を用意して結合面を突きほごす必要もない。【０００７】（３）結合面を突きほごすギザギザ突起が、石鹸入れ容器の内側に設けられているので、使用した後も屑などの汚れが外に出ない。
【図面の簡単な説明】
【０００８】
【図１】本考案を実施するためギザギザ突起部分を、固形石鹸入れ容器の蓋の内側に設けた斜視図である。
【図２】本考案を実施するためのギザギザ突起部分を、固形石鹸入れの受け皿容器の底面に設けた斜視図である。
【考案を実施するための形態】
【０００９】  本考案の固形石鹸入れ容器に入れて、使用して小さくなって使いづらくなった石鹸を、容器の内側に設けたギザギザ突起部で突き砕き、圧着張り合わせればよい。
【符号の説明】
【００１０】  １  固形石鹸入れ容器の蓋
２  蓋内側突起部分
３  固形石鹸入れの受け皿容器
４  受け皿容器内の突起部分
【図１】
0003176729.tif 000003
【図２】
0003176729.tif 000004
(57)【要約】      （修正有）【課題】服飾品などに、デザイン上のアクセントを付加し、デザインの多様化と付加価値を付けることが出来る不織布の花びらを提供する。【解決手段】不織布を任意の大きさにカットし、ヒーターなどを用いてそれに熱を加える事で、花びらのような曲線を持った形状に変形させる。これに塗料などを用いて塗装を行う事で様々な大きさや色、形状の花びら型の不織布を制作する。【選択図】図１−１
0003176721.tif 000002
【実用新案登録請求の範囲】
【請求項１】
不織布を任意の大きさにカットし、ヒーターなどを用いてそれに熱を加える事で、花びらのような曲線を持った形状に変形させる。これに塗料などを用いて塗装を行う事で、制作した、様々な大きさや色、形状の花びら型の不織布。
【考案の詳細な説明】
【技術分野】
【０００１】  本考案は、】不織布の花びらに係り、更に詳しくは、不織布の花びらの製法に関する。
【背景技術】
【０００２】  不織布に加工を施し、花びらの様に変形させる製法はこれまで無かった。
【考案の概要】
【考案が解決しようとする課題】
【０００３】  不織布の花びらを使用することで、服飾品などに、デザイン上のアクセントを付加し、デザインの多様化と付加価値を付けることが出来る。【０００４】  本考案は、上記の事情に鑑みてなされたものであり、カットした不織布にヒーターなどで熱を加える事で、通常の不織布にはない、花びらのような丸みを帯びさせることが可能となる。これに塗料などを用いて塗装を行う事で、様々な大きさや、色、形の花びら型の不織布が出来上がる。
【課題を解決するための手段】
【０００５】本考案における不織布の花びらは、不織布を任意の大きさにカットし、ヒーターなどを用いてそれに熱を加える事で、花びらのような曲線を持った形状に変形させる。これに塗料などを用いて塗装を行う事で、様々な大きさやいろいろな色をつけられた花びら形状の不織布が出来る。【０００６】このような構成によって、不織布の形状を変形させ、着色を行うことで、様々な形状の不織布のコサージュを制作することが可能となり、多様なデザイン性や付加価値を付ける事が可能である。
【考案の効果】
【０００７】不織布を任意の大きさにカットし、ヒーターなどを用いてそれに熱を加える事で、花びらのような曲線を持った形状に変形させる。これに塗料などを用いて塗装を行う事で、様々な大きさやいろいろな色をつけられた花びら形状の不織布が出来る。
【図面の簡単な説明】
【０００８】
【図１】本考案の実施の形態による不織布の花びらの一構成例を示した外観図である。
【考案を実施するための形態】
【０００９】  不織布を任意の大きさにカットし、ヒーターなどを用いてそれに熱を加える事で、花びらのような曲線を持った形状に変形させる。これに塗料などを用いて塗装を行う事で、様々な大きさや色、形状の花びら型の不織布１が出来上がる。
【００１０】図１は本考案の実施の形態による、不織布のコサージュの一構成例を示した外観図である。不織布の花びら１００は、帽子２００のデザイン上のアクセントとして、帽子全体に散りばめるように配置されている。
【符号の説明】
【００１２】１００  不織布の花びら２００  不織布の花びらを配置した帽子
【図１−１】
0003176721.tif 000003
【図１−２】
0003176721.tif 000004
【図１−３】
0003176721.tif 000005
(57)【要約】【課題】本考案は、腺立線病者の採尿時の負担を軽減することができる。【解決手段】本考案は、カテーテルチューブに複数凸凹を設けることで尿管から採尿時の肉体的負担を軽減する。【選択図】図２
0003176723.tif 000002
【実用新案登録請求の範囲】
【請求項１】
カテーテルチューブに複数凸凹部分を設けた採尿チューブ。
【考案の詳細な説明】
【技術分野】
【０００１】本考案は、採尿用カテーテルに関するものである。
【背景技術】
【０００２】腺立線病者は、採尿時肉体的負担が大きかった。
【考案の開示】
【考案が解決しようとする課題】
【０００３】カテーテルのチューブに改造を加えることで前途の欠点（問題）を解決しようとするものである。
【課題を解決するための手段】
【０００４】採尿用カテーテルチューブに凸凹部分を設けることで問題点を解決している。
【考案の効果】
【０００５】上途のように考案のカテーテルを用いることで採尿時の肉体的負担を軽減することに役立つ。
【考案を実施するための最良の形態】
【０００６】カテーテルの途中部分に複数凸凹部分を設けるため、採尿者の肉体的負担を軽減する。ポリウレタン等が良い。
【実施例】
【０００７】チューブ１を尿管を通し、ぼうこうまで入れ採尿する。【０００８】本考案の実施例は、上途の如き構造からなるものであり、採尿の時に用いられる
【図面の簡単な説明】
【０００９】
【図１】正面図
【図２】側面図
【図１】
0003176723.tif 000003
【図２】
0003176723.tif 000004
(57)【要約】      （修正有）【課題】点滴注射用ふくろと針をさす接合部の使い捨てのむだを解消する点滴注射ふくろ用キャップを提供する。【解決の手段】点滴注射用ふくろの針をさす接合部をねじて付け外し（脱着）できる構造にすることで液の入ったふくろの取替えが簡単になり、経費の軽減に役立つ。【選択図】図２
0003176724.tif 000002
【実用新案登録請求の範囲】
【請求項１】
点滴注射用ふくろの針をさす接合部の円筒形の部分をねじ廻し構造にした脱着可能な点滴注射ふくろ用キャップ。
【考案の詳細な説明】
【技術分野】
【０００１】本考案は、点滴に用いる液の入ったふくろと点滴針をさす接合部の構造に関するものである。
【背景技術】
【０００２】点滴注射に用いるふくろから針までの一体が使いすてになっており、不経済であった。
【考案の開示】
【考案が解決しようとする課題】
【０００３】点滴注射に用いるふくろ及び接合部・チューブ・針等使いすてになっていたが、ふくろの接合部の構造を変えることで前途の欠点を解決しようとするものである。
【課題を解決するための手段】
【０００４】本考案は、点滴注射のふくろとチューブの接合部をキャップ構造にすることで使いすてのむだを無くし問題点を解決している。
【考案の効果】
【０００５】上途のように、考案のキャップを用いることで、使いすてをなくすため、経費の軽減に役立つ。
【考案を実施するための最良の形態】
【０００６】点滴注射用ふくろと針の接合部をキャップ構造にすることで液の入ったふくろの取替えが簡単になる。又、ふくろのビニール部分だけの処分で良い。
【実施例】
【０００７】以下、添付図に従って実施例を説明する。【０００８】本考案の実施例は、上途の如き構成からなるものであり、に示すように、点滴注射の際に用いられる。
【図面の簡単な説明】
【０００９】
【図１】本考案の正面図
【図２】本考案の側面図
【図３】本考案の実施例図
【符号の説明】
【００１０】１．キャップ
２．ゴム
【図１】
0003176724.tif 000003
【図２】
0003176724.tif 000004
【図３】
0003176724.tif 000005
(57)【要約】      （修正有）【課題】買物袋を上、下、２段にし下部収納は潰れ防止を施し、未使用時は折りたたむことができる買物袋を提供する。【解決手段】本考案は、１つの買物袋に１、と２に２段にした収納で下部収納は、四方からの圧力に耐えられる箱形にし、チャック３で開閉で出し入れでき、持ち運べる買物袋で、且つ、未使用時は手提げ紐４を手提げ紐固定紐５にくぐらせ持ち運ぶことができる買物袋である。【選択図】図１
0003176730.tif 000002
【実用新案登録請求の範囲】
【請求項１】
買物袋を２段にした収納入れを設け、上部収納に多種多様な品物を入れ下部収納れは四方からの力に耐えられる軽い素材で箱形の枠を設け、チャックを付け下部収納はそこから出し入れし平行を保たせる商品、生鮮食品、惣菜等、実崩れを防止し持ち運べ、未使用時には、上部収納入れを折りたたんでコンパクトにして持ち運べる買物袋。
【考案の詳細な説明】
【技術分野】
【０００１】本考案は、出し入れが上部、下部に分かれ、未使用時は、折りたたんむことのできる買物袋である
【背景技術】
【０００２】スーパー等で多種、多様な買物した際い押し潰され易い品物とか、生鮮食品類の収納する時、１つ又は２つの袋に割け工夫をしたものである。
【考案の開示】
【考案が解決しようとする課題】
【０００３】多種、多様な品物を購入しても最小限の手荷物で収まる様に１つの買物袋で安定する様に、２段に分け、持ち運べる買物袋に前述の欠点を解決しようとするものである。
【課題を解決するための手段】
【０００４】本考案は、上部・下部と独立した収納にし、下部収納入れは、四方からの圧力に耐える軽く適宜素材で箱形にする事に依り生鮮食品、惣菜等、実崩れを嫌う食品を整然収納し、上部収納入れは、野菜、果物等多様な品物を入れて、持ち運べる買物袋。
【考案の効果】
【０００５】上述の様に、本考案１つの買物袋を２段に独立した収納入れにする事に依り品物が整然と収納し、品質も落す事なく持ち運べる事ができる。
【考案を実施するための最良の形態】
【０００６】下部収納入れに取り付けられたチャックで開、閉し、出し入れでき、四方からの圧力に耐える箱状になっているので押し潰される事がないので生鮮食品、惣菜等、実崩れを防止し、鮮度が保ち、持ち運ぶ事ができ、上部収納は多様な品物が易いに入れる事ができる。
未使用時は、上部収納を折りたたみコンパクトにし持ち運ぶ事ができる。
【実施例】
【０００７】以下添図に従って一実施例を説明する。図１−１は多種多様な品物を入れ、２は軽く硬い適宜素材で作った箱形になっているので生鮮食品、惣菜等、実崩れを防ぎたい品物は、３のチャックで開閉して収納し、商品を保ちながら持ち運ぶことができる。【０００８】未使用で持ち運ぶ時は、図１の上部収納袋を折りたたみ、４の手提げ紐を５の固定紐にくぐらせ図５の様にした状態で持ち運ぶことができる
【図面の簡単な説明】
【０００９】
【図１】本考案の上、下２段状態買物袋の立体図である。
【図２】図１の背面図である
【図３】下部収納に用いる蓋付き、ＢＯＸの図である。
【図４】ＢＯＸの蓋を開けた状態の図である。
【図５】買物袋を折りたたんだ図である。
【符号の説明】
【００１０】１、上部収納入れ
２  下部収納入れ
３  チャック
４  手提げ紐
５  手提げ紐固定紐
６  蝶つがい
【図１】
0003176730.tif 000003
【図２】
0003176730.tif 000004
【図３】
0003176730.tif 000005
【図４】
0003176730.tif 000006
【図５】
0003176730.tif 000007